(57)【要約】【課題】ピント自動調整機能を有するプロジェクタに対する使用者負担を軽減し、また必要性の低いピント調整用の所定パターンの投影を可及的に少なくする。【解決手段】外部のパソコン等から出力される投影用のビデオ信号に応じた表示用画像の投影により１対のラインセンサ２２Ｒ、２２Ｌが出力する画像信号のレベル差が所定の値以上すなわち投影画像が所定のコントラストを有している場合には当該画像信号に基づき投影レンズ１のピント調整を行い、表示用画像の投影により１対のラインセンサ２２Ｒ、２２Ｌが出力する画像信号のレベル差が所定の値未満すなわち投影画像が所定のコントラストを有していない場合にはＲＯＭ８から所定パターンを有する画像を読み出して投影レンズ１から投影させ、所定パターンの投影により１対のラインセンサ２２Ｒ、２２Ｌが出力する画像信号に基づき投影レンズ１のピント調整を行う。【選択図】　　　図３
2004004338.tif 000002
【特許請求の範囲】
【請求項１】
所定パターンを有する画像を記憶する記憶部と、表示用画像をスクリーンに投影する投影部と、受光した画像に応じた信号を出力するセンサを有し上記センサが出力する上記信号に基づき上記投影部のピント調整を行うパッシブオートフォーカス部とを含み、
上記投影部のピント調整時に上記表示用画像を上記投影部から投影させるとともに、上記表示用画像の投影により上記センサが出力する上記信号がピント調整用として用いるための条件を充たしている場合には、当該信号に基づき上記投影部のピント調整を行い、
上記表示用画像の投影により上記センサが出力する上記信号が上記ピント調整用として用いるための条件を充たしていない場合には、上記記憶部から上記所定パターンを有する画像を読み出して投影させ、上記所定パターンの投影により上記センサが出力する上記信号に基づき上記投影部のピント調整を行う
ことを特徴とするプロジェクタ。
【請求項２】
請求項１において、上記ピント調整用として用いるための条件は、上記信号中のレベル差が所定の値以上あることまたは上記信号に基づいて求める上記スクリーンまでの距離に応じた値が所定の信頼性を有していることであることを特徴とするプロジェクタ。
【請求項３】
画像をスクリーンに投影する投影部と、受光した画像に応じた信号を出力するセンサを有し上記センサが出力する上記信号に基づき上記投影部のピント調整を行うパッシブオートフォーカス部とを含み、
上記投影部のピント調整時に上記画像を上記投影部から投影させるとともに、上記画像の投影により上記センサが出力する上記信号がピント調整用として用いるための条件を充たしている場合には、当該信号に基づき上記投影部のピント調整を行い、
上記画像の投影により上記センサが出力する上記信号が上記ピント調整用として用いるための条件を充たしていない場合には、当該信号に基づいて上記投影部の予備ピント調整を行い、当該予備ピント調整後の上記画像の投影により上記センサが出力する上記信号に基づき上記投影部のピント調整を行う
ことを特徴とするプロジェクタ。
【請求項４】
請求項３において、上記ピント調整用として用いるための条件は、上記信号に基づいて求める上記スクリーンまでの距離に応じた値が所定の信頼性を有していることであることを特徴とするプロジェクタ。
【請求項５】
所定パターンを有する画像を記憶する記憶部と、表示用画像をスクリーンに投影する投影部と、受光した画像に応じた信号を出力するセンサを有し上記センサが出力する上記信号に基づき上記スクリーンまでの距離に応じた値を求める演算を行い、その演算結果に基づいて上記投影部のピント調整を行うパッシブオートフォーカス部とを含み、
上記投影部のピント調整時に上記表示用画像を上記投影部から投影させるとともに、上記表示用画像の投影により上記センサが出力する上記信号に基づいて行った上記演算結果が所定の信頼性を有している場合には、当該演算結果に基づいて上記投影部のピント調整を行い、
上記表示用画像の投影により上記センサが出力する上記信号に基づいて行った上記演算結果が上記所定の信頼性を有していない場合に上記演算結果が上記所定の信頼性よりも低い信頼性を有している際には、当該演算結果に基づいて上記投影部の予備ピント調整を行い、上記予備ピント調整後の画像の投影により上記センサが出力する上記信号に基づき上記スクリーンまでの距離に応じた値を求める演算を行ってその演算結果に基づいて上記投影部のピント調整を行い、
上記表示用画像の投影により上記センサが出力する上記信号に基づいて行った上記演算結果が上記所定の信頼性を有していない場合に上記演算結果が上記所定の信頼性よりも低い信頼性を有していない際には、上記記憶部から所定パターンを有する画像を読み出して投影させ、上記所定パターンの投影により上記センサが出力する上記信号に基づき上記スクリーンまでの距離に応じた値を求める演算を行い、その演算結果に基づいて上記投影部のピント調整を行う
ことを特徴とするプロジェクタ。
【発明の詳細な説明】
【０００１】
【発明の技術分野】
本発明は、ピント自動調整機能を有するプロジェクタに関する。
【０００２】
【従来の技術】
従来、外光三角測距方式のパッシブオートフォーカスを用いたプロジェクタとして特許第３１２０５２６号公報に記載のものがある。この公知技術を簡単に説明すると、パッシブオートフォーカスによるピント調整時に所定パターンを読み出して投影することにより、パッシブオートフォーカス手段を用いたピント合わせ精度の向上を図っている。具体的には、ＡＦスイッチが操作されることにより非連続で所定のコントラストを有する所定パターンを投影させてパッシブオートフォーカス手段を用いたピント合わせを行うものである。このようにすることによって、パッシブオートフォーカスが有する原理的な問題点、すなわち入力する画像データのコントラストが低い場合や同じパターンが連続する場合に測距精度が悪化するという問題点を解決している。
【０００３】
【発明が解決すべき課題】
上記のものは、ピント調整用の所定パターンを投影するにはＡＦスイッチを操作するという煩わしい操作が必要であった。
【０００４】
また、ピント調整用の所定パターンが必要か否かの判断を使用者が行う必要があった。
【０００５】
本発明の目的は、ピント自動調整機能を有するプロジェクタに対する使用者負担を軽減し、また必要性の低いピント調整用の所定パターンの投影を可及的に少なくすることである。
【０００６】
【課題を解決するための手段】
第１の発明は、所定パターンを有する画像を記憶する記憶部と、表示用画像をスクリーンに投影する投影部と、受光した画像に応じた信号を出力するセンサを有し上記センサが出力する上記信号に基づき上記投影部のピント調整を行うパッシブオートフォーカス部とを含み、上記投影部のピント調整時に上記表示用画像を上記投影部から投影させるとともに、上記表示用画像の投影により上記センサが出力する上記信号がピント調整用として用いるための条件を充たしている場合には、当該信号に基づき上記投影部のピント調整を行い、上記表示用画像の投影により上記センサが出力する上記信号が上記ピント調整用として用いるための条件を充たしていない場合には、上記記憶部から上記所定パターンを有する画像を読み出して投影させ、上記所定パターンの投影により上記センサが出力する上記画像信号に基づき上記投影部のピント調整を行うプロジェクタである。このような構成によれば、投影部のピント調整時に表示用画像を投影部から投影させるとともに、表示用画像の投影によりセンサが出力する信号がピント調整用として用いるための条件を充たしている場合には、当該信号に基づき投影部のピント調整を行い、表示用画像の投影によりセンサが出力する信号がピント調整用として用いるための条件を充たしていない場合には、記憶部から所定パターンを有する画像を読み出して投影させ、所定パターンの投影によりセンサが出力する信号に基づき投影部のピント調整を行うので、ピント調整用の所定パターンを必要なときに自動的に投影可能となり、使用者の操作上の負担が軽減可能となり、また、必要性の低いピント調整用の所定パターンの投影を抑制可能にできる。
【０００７】
第２の発明は、上記ピント調整用として用いるための条件を、上記信号中のレベル差が所定の値以上あることまたは上記信号に基づいて求める上記スクリーンまでの距離に応じた値が所定の信頼性を有していることとしている。
【０００８】
第３の発明は、画像をスクリーンに投影する投影部と、受光した画像に応じた信号を出力するセンサを有し上記センサが出力する上記信号に基づき上記投影部のピント調整を行うパッシブオートフォーカス部とを含み、上記投影部のピント調整時に上記画像を上記投影部から投影させるとともに、上記画像の投影により上記センサが出力する上記信号がピント調整用として用いるための条件を充たしている場合には、当該信号に基づき上記投影部のピント調整を行い、上記画像の投影により上記センサが出力する上記信号が上記ピント調整用として用いるための条件を充たしていない場合には、当該信号に基づいて上記投影部の予備ピント調整を行い、当該予備ピント調整後の上記画像の投影により上記センサが出力する上記信号に基づき上記投影部のピント調整を行うプロジェクタである。このような構成によれば、投影部のピント調整時に画像を投影部から投影させるとともに、画像の投影によりセンサが出力する信号がピント調整用として用いるための条件を充たしている場合には、当該信号に基づき投影部のピント調整を行い、画像の投影によりセンサが出力する信号がピント調整用として用いるための条件を充たしていない場合には、当該信号に基づいて投影部の予備ピント調整を行い、当該予備ピント調整後の画像の投影によりセンサが出力する信号に基づき投影部のピント調整を行うので、ピント調整前より映像ボケが少なくなる可能性がある予備ピント調整後の画像に基づき再度ピント調整を行うことが可能となり、パッシブオートフォーカス部を用いた場合にピント調整の精度を向上することが可能となり、また、ピント自動調整機能を有するプロジェクタに対する使用者負担を軽減可能にできる。また、従来必要であった所定パターンを有する画像の投影を抑制することが可能となる。
【０００９】
第４の発明は、第３の発明において、上記ピント調整用として用いるための条件を、上記信号に基づいて求める上記スクリーンまでの距離に応じた値が所定の信頼性を有していることとしている。
【００１０】
第５の発明は、所定パターンを有する画像を記憶する記憶部と、表示用画像をスクリーンに投影する投影部と、受光した画像に応じた信号を出力するセンサを有し上記センサが出力する上記信号に基づき上記スクリーンまでの距離に応じた値を求める演算を行い、その演算結果に基づいて上記投影部のピント調整を行うパッシブオートフォーカス部とを含み、上記投影部のピント調整時に上記表示用画像を上記投影部から投影させるとともに、上記表示用画像の投影により上記センサが出力する上記信号に基づいて行った上記演算結果が所定の信頼性を有している場合には、当該演算結果に基づいて上記投影部のピント調整を行い、上記表示用画像の投影により上記センサが出力する上記信号に基づいて行った上記演算結果が上記所定の信頼性を有していない場合に上記演算結果が上記所定の信頼性よりも低い信頼性を有している際には、当該演算結果に基づいて上記投影部の予備ピント調整を行い、上記予備ピント調整後の画像の投影により上記センサが出力する上記信号に基づき上記スクリーンまでの距離に応じた値を求める演算を行ってその演算結果に基づいて上記投影部のピント調整を行い、上記表示用画像の投影により上記センサが出力する上記信号に基づいて行った上記演算結果が上記所定の信頼性を有していない場合に上記演算結果が上記所定の信頼性よりも低い信頼性を有していない際には、上記記憶部から所定パターンを有する画像を読み出して投影させ、上記所定パターンの投影により上記センサが出力する上記信号に基づき上記スクリーンまでの距離に応じた値を求める演算を行い、その演算結果に基づいて上記投影部のピント調整を行うプロジェクタである。このような構成によれば、投影部のピント調整時に表示用画像を投影部から投影させるとともに、表示用画像の投影によりセンサが出力する信号に基づいて行った演算結果が所定の信頼性を有している場合には、当該演算結果に基づいて投影部のピント調整を行い、表示用画像の投影によりセンサが出力する信号に基づいて行った演算結果が所定の信頼性を有していない場合に当該演算結果が所定の信頼性よりも低い信頼性を有している際には、当該演算結果に基づいて投影部の予備ピント調整を行い、予備ピント調整後の画像の投影によりセンサが出力する信号に基づきスクリーンまでの距離に応じた値を求める演算を行ってその演算結果に基づいて投影部のピント調整を行い、表示用画像の投影によりセンサが出力する信号に基づいて行った演算結果が所定の信頼性を有していない場合に当該演算結果が所定の信頼性よりも低い信頼性を有していない際には、記憶部から所定パターンを有する画像を読み出して投影させ、所定パターンの投影によりセンサが出力する信号に基づきスクリーンまでの距離に応じた値を求める演算を行い、その演算結果に基づいて投影部のピント調整を行うので、ピント調整用の所定パターンを必要なときに自動的に投影可能となり、使用者の操作上の負担が軽減可能となり、また、必要性の低いピント調整用の所定パターンの投影を抑制可能にできる。また、ピント調整前より映像ボケが少なくなる可能性がある予備ピント調整後の画像に基づき再度ピント調整を行うことが可能となり、パッシブオートフォーカス部を用いた場合にピント調整の精度を向上することが可能となる。
【００１１】
【実施例】
以下、本発明の実施の形態を図面に示した一実施例に基づき説明する。
【００１２】
図１はプロジェクタの外観を示した図である。同図において、プロジェクタの前面には投影部としての投影レンズ１が設けてあり、投影レンズ１に近接した位置に図示しないスクリーンまでの距離を測定するために用いる受光部２が設けてある。投影レンズ１からは後述する液晶表示パネル９で表示される表示用画像や所定パターンを有する画像が投影される。
【００１３】
図２は受光部２の概略構成を示すもので、１対のレンズ２１Ｒ、２１Ｌによりスクリーン１０上の投影画像がセンサとしての１対のラインセンサ２２Ｒ、２２Ｌにそれぞれ結像する。１対のラインセンサ２２Ｒ、２２Ｌは各々結像した投影画像に応じた画像信号を出力する。つまり、１対のラインセンサ２２Ｒ、２２Ｌから１対の画像信号が出力される。
【００１４】
図３は、本例のパッシブオートフォーカス部を中心としたブロック回路図である。なお、同図において、前図と同一構成のものには同一符号を附してある。同図において、受光部２と協働してパッシブオートフォーカス部を構成するＡＦ制御部３は、ＣＰＵ３１、メモリ３２Ｒ、メモリ３２ＬおよびＲＯＭ３３等を備える。ＣＰＵ３１はＡＦ制御部３全体の動作を制御する。メモリ３２Ｒおよびメモリ３２Ｌは、受光部２の１対のラインセンサ２２Ｒ、２２Ｌから出力される１対の画像信号をＣＰＵ３１で量子化（２５６値化）した１対の画像データを各別に記憶する。なお、ＣＰＵ３１による量子化は２５６値化に限らず適宜変更可能である。ＣＰＵ３１はメモリ３２Ｒのデータを順次シフトしながら読み取り、そのデータとメモリ３２Ｌのデータを順次比較して両データの最も一致度が高い状態、すなわち最大相関度を求め、このときのシフト量をＲＯＭ３３の内容と照合してスクリーンまでの距離を求め、投影レンズ１を駆動すべき出力をレンズ駆動部４に送るようにしている。ＲＯＭ３３には、上記シフト量とスクリーンまでの距離の対応関係や動作プログラム等が記憶されている。シフト量とスクリーンまでの距離の関係について図２に基づき簡単に説明すると、シフト量ｘを求めることにより、三角測量の原理によって、１対のレンズ２１Ｒ、２１Ｌの焦点距離ｆと基線長Ｂとから、スクリーン１０までの距離Ｌを下記（１）式によって算出可能となる。
Ｌ＝（Ｂ・ｆ）／ｘ…（１）
本例では、上記（１）式に示す関係をＲＯＭ３３に記憶しているが、ＣＰＵ３１で演算するようにしてもよい。
【００１５】
また、本例では最大相関度を求める一例として、ＣＰＵ３１が順次シフトしながら読み込むメモリ３２Ｒのデータからメモリ３２Ｌのデータを差し引いた値をシフト量に対応付けてＣＰＵ３１が内部のＲＡＭ等に記憶していき、この差し引いた値の中で最も値が小さいものを最大相関度として求めるようにする。この最大相関度は、ＣＰＵ３１が順次比較する両データの最も一致度が高い状態を示すものであるが、両データの一致度が高いときほどこの値は小さく、測距精度すなわち測距の信頼性が高くなり、両データの一致度が低くなるにつれてこの値は大きくなり、測距精度すなわち測距の信頼性が低くなる。この最大相関度に対応したシフト量が上記シフト量ｘとなる。なお、このシフト量ｘについて公知の補間演算を行って補正を行ってもよい。
【００１６】
ビデオ信号検出部５は、例えば外部のパソコン等から投影用のビデオ信号が入力されたことを検出する。
【００１７】
切換回路６は、ＡＦ制御部３から切換え開始信号が入力されると、液晶表示パネル駆動部７への信号を外部のパソコン等から入力する投影用のビデオ信号からＲＯＭ８の内容に切り換え、ＡＦ制御部３から切換え終了信号が入力されると、液晶表示パネル駆動部７への信号をＲＯＭ８の内容から外部のパソコン等から出力される投影用のビデオ信号に切り換える。なお、初期状態では、切換回路６は外部のパソコン等から入力する投影用のビデオ信号を液晶表示パネル駆動部７へ供給する。
【００１８】
記憶部としてのＲＯＭ８は、図４に示すように幅寸法の異なる矩形状パターンを複数個並べたようなコントラストの高い投影画像（所定パターン）を記憶していて、この投影画像をＡＦ制御部３の指示に従って切換回路６を介して液晶表示パネル駆動部７に出力する。なお、ＲＯＭ８が記憶する所定パターンは、上記に限らず、コントラストが高く同じパターンが連続しない画像、すなわちパッシブ型測距装置（パッシブオートフォーカス）の測距精度（ピント調整精度）が悪化しない画像であれば、適宜変更可能である。
【００１９】
液晶表示パネル９は液晶表示パネル駆動部７により駆動される。
【００２０】
次に、図５を参照して動作を説明する。
【００２１】
図示しない外部のパソコン等からプロジェクタに投影用のビデオ信号が入力すると、このビデオ信号は切換回路６を通って液晶表示パネル駆動部７へ供給されて液晶表示パネル９で表示用画像として表示され、ビデオ信号に応じた表示用画像がスクリーン１０上に写し出される（ステップ５ａ）。
【００２２】
このときビデオ信号検出部５は、ビデオ信号の入力を検出し、ビデオ信号検出信号をＡＦ制御部３に出力する。
【００２３】
ＡＦ制御部３はビデオ信号検出信号の入力に応じて１対のラインセンサ２２Ｒ、２２Ｌを動作させＡＦ測距を開始する（ステップ５ｂ）。よって、スクリーン１０上の投影画像は、１対のレンズ２１Ｒ、２１Ｌを介して１対のラインセンサ２２Ｒ、２２Ｌにそれぞれ結像され、１対のラインセンサ２２Ｒ、２２Ｌからスクリーン上の投影画像に応じた１対の画像信号が出力され、上述したようにＡＦ制御部３のメモリ３２Ｒ、メモリ３２Ｌに各別に記憶される。
【００２４】
ＡＦ制御部３内のＣＰＵ３１は、メモリ３２Ｒ、３２Ｌに記憶された画像データに基づき受光部２が受光した画像に所定のコントラストがあるか判定する（ステップ５ｃ）。所定のコントラスト判定の一例としては、メモリ３２Ｒに記憶された画像データ中の最大値と最小値の差が所定レベル以上あれば所定のコントラスト有りと判定し、当該差が所定レベル未満あれば所定のコントラスト無しと判定する。なお、受光画像に所定のコントラストがあるか否かの判定、すなわちラインセンサ２２Ｒ、２２Ｌが出力する信号中のレベル差が所定の値以上あるか否かの判定は、上記に限らず適宜変更可能である。例えば、メモリ３２Ｌに記憶された画像データ中の最大値と最小値の差が所定レベル以上あれば所定のコントラスト有りと判定し、当該差が所定レベル未満あれば所定のコントラスト無しと判定するようにしてもよい。
【００２５】
ステップ５ｃで所定のコントラスト無しと判定すると、ＡＦ制御部３は、現在メモリ３２Ｒ、３２Ｌに記憶している画像データを用いては高精度のピント調整ができないと判断して、切換回路６に切換え開始信号を出力して切換回路６を切り換え、ＲＯＭ８の内容を液晶表示パネル駆動部７に出力させ、ＲＯＭ８の内容に応じた投影画像をスクリーン１０上に写し出す（ステップ５ｄ）。
【００２６】
ＲＯＭ８の内容に応じた投影画像がスクリーン上に写し出されると、ＡＦ制御部３は１対のラインセンサ２２Ｒ、２２Ｌを再び動作させてＡＦ測距を開始する（ステップ５ｅ）。よって、スクリーン上のＲＯＭ８の内容に応じた投影画像は、１対のレンズ２１Ｒ、２１Ｌを介して１対のラインセンサ２２Ｒ、２２Ｌにそれぞれ結像され、１対のラインセンサ２２Ｒ、２２Ｌからスクリーン上の投影画像に応じた１対の画像信号が出力され、上述したようにＡＦ制御部３のメモリ３２Ｒ、メモリ３２Ｌに各別に記憶される。
【００２７】
ＣＰＵ３１は、メモリ３２Ｒ、メモリ３２Ｌに記憶された１対の画像データに基づき上述したように最大相関度を求め、このときのシフト量をＲＯＭ３３の内容と照合してスクリーン１０までの距離を求め、投影レンズ１を駆動すべき出力をレンズ駆動部４に送り、投影レンズ１の位置を調整してピント合わせを行う（ステップ５ｆ、５ｇ）。この後、ＡＦ制御部３は切換え終了信号を切換回路６に出力して外部のパソコン等から出力される投影用のビデオ信号を切換回路６から出力させて液晶表示パネル駆動部７へ供給し、スクリーン１０へ投影させる（ステップ５ｈ）。この場合、ＲＯＭ８の内容に応じた投影画像はコントラストがあり、同じパターンが連続してないので、パッシブオートフォーカスを用いて精度の高い測距およびピント調整が行える。
【００２８】
ステップ５ｃで所定のコントラスト有りと判定すると、ＣＰＵ３１はメモリ３２Ｒ、メモリ３２Ｌに記憶された１対の画像データに基づき上述したように最大相関度を求める（ステップ５ｉ）。
【００２９】
ＣＰＵ３１は最大相関度を求めたら、求めた最大相関度に応じたシフト量の信頼性判定を行う（ステップ５ｊ）。具体的には、最大相関度の値が第１の所定レベル以下になっていれば、すなわち最大相関度の値が第１の所定レベルの信頼性を有していれば、求めた最大相関度に応じたシフト量の信頼性が高いと判断し、このシフト量をＲＯＭ３３の内容と照合してスクリーン１０までの距離を求め、投影レンズ１を駆動すべき出力をレンズ駆動部４に送り、投影レンズ１の位置を調整してピント合わせを行い（ステップ５ｋ）、上述したステップ５ｈに進む。
【００３０】
このように、表示用画像の投影の際に１対のラインセンサ２２Ｒ、２２Ｌが出力する画像信号がピント調整用として用いるための条件（画像が所定のコントラストを有していること、すなわちラインセンサ２２Ｒや２２Ｌが出力する信号中のレベル差が所定の値以上ある）を充たしている場合には当該画像信号に基づき投影レンズ１のピント調整を行い、表示用画像の投影の際に１対のラインセンサ２２Ｒ、２２Ｌが出力する画像信号が同条件を充たしていない場合にはＲＯＭ８から所定パターンを有する画像を読み出して投影レンズ１から投影させ、所定パターンを有する画像の投影の際に１対のラインセンサ２２Ｒ、２２Ｌが出力する画像信号に基づき投影レンズ１のピント調整を行うので、ピント調整用の所定パターンを必要なときに自動的に投影可能となり、従来必要であった使用者の操作上の負担を軽減でき、また、必要性の低いピント調整用の所定パターンの投影を可及的に少なく。
【００３１】
ステップ５ｊで最大相関度の値が第１の所定レベルより大きいと、すなわち最大相関度の値が第１の所定レベルの信頼性を有していなければ、ＣＰＵ３１は最大相関度の値が第１の所定レベルよりも大きい第２の所定レベル以下になっているか判定する（ステップ５ｌ）。すなわち、第１の所定レベルよりも信頼性の低い第２の所定レベルを充たしているか判定する。
【００３２】
ステップ５ｌで最大相関度の値が第２の所定レベル以下になっていると、すなわち第１の所定レベルよりも信頼性の低い第２の所定レベルを充たしていると、この最大相関度に応じたシフト量をＲＯＭ３３の内容と照合してスクリーン１０までの距離を求め、投影レンズ１を駆動すべき出力をレンズ駆動部４に送り、投影レンズ１の位置を調整して予備ピント合わせを行う（ステップ５ｍ）。なお、この場合、最大相関度の値がステップ５ｋの場合より大きく信頼性が低いので、ステップ５ｍの予備ピント調整の信頼性はステップ５ｋでのピント調整より低くなる。よって、本例では予備ピント調整後さらに後述するようなピント調整を行う。
【００３３】
続いて、ＡＦ制御部３は切換回路６に切換え開始信号を出力して切換回路６を切り換え、ＲＯＭ８の内容を液晶表示パネル駆動部７に出力させ、ＲＯＭ８の内容に応じた投影画像をスクリーン１０上に写し出し（ステップ５ｎ）、上述したステップ５ｅ以降の処理に進む。この場合、ステップ５ｍの動作により予備ピント調整を行っているので、初期状態（ステップ５ａ）時よりも投影画像の映像ボケが少なくなる可能性が高い状態となり、当然ＲＯＭ８の内容に応じた投影画像の映像ボケも少なくなっている可能性が高いので、高精度の測距およびオートフォーカスが可能となる。
【００３４】
ステップ５ｌで最大相関度の値が第２の所定レベルより大きいと、すなわち第１の所定レベルよりも信頼性の低い第２の所定レベルを充たしていないと、ＡＦ制御部３は、現在メモリ３２Ｒ、３２Ｌに記憶してある画像データを用いては高精度のピント調整ができないと判断して、切換回路６に切換え開始信号を出力して切換回路６を切り換え、ＲＯＭ８の内容を液晶表示パネル駆動部７に出力させ、ＲＯＭ８の内容に応じた投影画像をスクリーン１０上に写し出し（ステップ５ｄ）、上述したステップ５ｅに進み、上述した処理を行う。
【００３５】
このように、表示用画像の投影の際に１対のラインセンサ２２Ｒ、２２Ｌが出力する画像信号がピント調整用として用いるための条件（画像信号に基づいて求めるスクリーンまでの距離に応じた値が所定の信頼性を有していること）を充たしている場合には当該画像信号に基づき投影部のピント調整を行い、表示用画像の投影の際に１対のラインセンサ２２Ｒ、２２Ｌが出力する画像信号が同条件を充たしていない場合にはＲＯＭ８から所定パターンを有する画像を読み出して投影レンズ１から投影させ、所定パターンを有する画像の投影の際に１対のラインセンサ２２Ｒ、２２Ｌが出力する画像信号に基づき投影部のピント調整を行うので、ピント調整用の所定パターンを必要なときに自動的に投影可能となり、従来必要であった使用者の操作上の負担を軽減でき、また、必要性の低いピント調整用の所定パターンの投影を可及的に少なくできる。
【００３６】
なお、ステップ５ｍ終了後、ステップ５ｎを行わずにステップ５ｅ以降の処理に進むようにしてもよい。この場合、ＲＯＭ８の内容に応じた投影画像をスクリーン１０上に写し出さなくなるが、ステップ５ｍの動作により予備ピント調整を行っているので、初期状態（ステップ５ａ）時よりもビデオ信号に応じた表示用画像のピントが合う状態となり、ビデオ信号に応じた表示用画像の映像ボケも初期状態（ステップ５ａ）時よりも少なくなっている可能性が高いので、高精度の測距およびオートフォーカスが可能となる。
【００３７】
なお、本発明は上記実施例にのみ限定されず、要旨を変更しない範囲で適宜変形して実施できる。
【００３８】
上記の例では、図５のステップ５ｊで最大相関度の値が第１の所定レベルより大きい場合にステップ５ｌに進むようにしているが、ステップ５ｊで最大相関度の値が第１の所定レベルより大きい場合に直接ステップ５ｄまたはステップ５ｍに進むようにしてもよい。このようにする場合は、ＲＯＭ３３内の動作プログラムを変更すればよい。この場合、ステップ５ｌを省けるので、処理の簡略化が図れる。
【００３９】
また、上記の例では、記憶部で記憶する所定パターンを有する画像を表示用画像投影用の投影部から投影するようにして投影部の兼用化を図っているが、記憶部で記憶する所定パターンを有する画像を表示用画像投影用の投影部とは別の投影部から投影するようにしてもよい。
【００４０】
また、上記の例では、表示用画像として外部のパソコン等から入力する投影用ビデオ信号に応じた画像を用いたが、これに限るものではなく、適宜変更可能である。
【００４１】
さらには、液晶方式のプロジェクタに限らず、ＬＰＤ（Ｌｉｇｈｔ　Ｐｒｏｃｅｓｓｉｎｇ　Ｄｅｖｉｃｅ）方式にも適用できる。
【００４２】
【発明の効果】
本発明によれば、ピント調整用の所定パターンの投影を必要なときに自動的に投影可能となり、ピント調整用の所定パターンの投影を可及的に少なくでき、従来必要であった使用者の操作上の負担を軽減できる。
【図面の簡単な説明】
【図１】本発明の一実施例を示した全体図。
【図２】図１に示す実施例の受光部の概略構成を示す図。
【図３】図１の要部回路構成を示すブロック図。
【図４】図１に示す実施例に用いられる投影画面を示す図。
【図５】図４の動作説明のためのフローチャート。
【符号の説明】
１　　　　　　　投影部
２２Ｒ、２２Ｌ　センサ
２、３　　　　　パッシブオートフォーカス部
８　　　　　　　記憶部
【図１】
2004004338.tif 000003
【図２】
2004004338.tif 000004
【図３】
2004004338.tif 000005
【図４】
2004004338.tif 000006
【図５】
2004004338.tif 000007